(57)【要約】      （修正有）【課題】実用的で商品価値の高いコードレス型空気清浄機を提供する。【解決手段】光触媒が担持された光触媒担持フィルターと、該光触媒担持フィルターに光触媒の光触媒機能を励起する波長の光を照射する光源と、光触媒担持フィルターに対し周囲の空気を吸入および排出する吸排気ファンとが容器内に収容された空気清浄ユニットを備え、該空気清浄ユニットに、ファンおよび光源に給電する充電可能なバッテリーを付設したことを特徴とする。【選択図】図１
0003152783.tif 000002
【実用新案登録請求の範囲】
【請求項１】
光触媒が担持された光触媒担持フィルターと、該光触媒担持フィルターに前記光触媒の光触媒機能を励起する波長の光を照射する光源と、前記光触媒担持フィルターに対し周囲の空気を吸入および排出する吸排気ファンとが容器内に収容された空気清浄ユニットを備え、該空気清浄ユニットに、前記ファンおよび前記光源に給電する充電可能なバッテリーを付設したことを特徴とするコードレス型空気清浄機。
【請求項２】
前記バッテリーが、前記容器に内蔵されている、請求項１に記載のコードレス型空気清浄機。
【請求項３】
前記バッテリーが、前記容器に外付けされている、請求項１に記載のコードレス型空気清浄機。
【請求項４】
前記バッテリーが、コンセントを介して商用電源から充電可能に構成されている、請求項１〜３のいずれかに記載のコードレス型空気清浄機。
【請求項５】
前記バッテリーが、太陽光発電装置から充電可能に構成されている、請求項１〜３のいずれかに記載のコードレス型空気清浄機。
【請求項６】
前記光触媒担持フィルターが、光触媒が担持された発泡ガラスからなる多数の粒状の担持体を用いて構成されている、請求項１〜５のいずれかに記載のコードレス型空気清浄機。
【請求項７】
前記光触媒が二酸化チタンからなる、請求項１〜６のいずれかに記載のコードレス型空気清浄機。
【請求項８】
前記光源が、紫外線を照射可能な光源からなる、請求項１〜７のいずれかに記載のコードレス型空気清浄機。
【請求項９】
前記容器が鉢型容器からなり、該鉢型容器上に人造植物が設けられている、請求項１〜８のいずれかに記載のコードレス型空気清浄機。
【請求項１０】
前記人造植物の表面にも光触媒が担持されている、請求項９に記載のコードレス型空気清浄機。
【請求項１１】
前記人造植物は、前記鉢型容器に対し交換可能に設けられている、請求項９または１０に記載のコードレス型空気清浄機。
【考案の詳細な説明】
【技術分野】
【０００１】
本考案は、コードレス型空気清浄機に関し、とくに、鉢型容器上に人造植物を設けた、可搬式の人造植物ユニット等に構成して好適なコードレス型空気清浄機に関する。
【背景技術】
【０００２】
屋内等の限られた空間内での有害成分や臭気発生成分の濃度は極力低減されなければならず、近年、種々の用途に空気清浄機の需要が高まっている。例えば、屋内等においては、アセトアルデヒドやホルムアルデヒド等の有害成分は、少なくとも健康上問題のない濃度以下（例えば、厚生労働省のアセトアルデヒドの室内空気濃度の指針値である０．０３ｐｐｍ以下）に抑えられなければならない。また、臭いなど発生する有機成分による生活環境の空気汚染の改善の要求も高まってきており、このような面でも、室内空気浄化のための空気清浄機の需要が高まっている。
【０００３】
従来から、二酸化チタン等の光触媒が、その光触媒機能により有害成分や臭い発生有機成分等を分解可能であり、空気浄化のために有効であることは、よく知られている。このような光触媒を担持したフィルターを用いた空気清浄機も知られており、また、このような空気清浄機を人造植物の植木鉢内に組み込んだ空気清浄装置も知られている（例えば、特許文献１）。
【先行技術文献】
【特許文献】
【０００４】
【特許文献１】特開２００２−６５８２２号公報
【考案の概要】
【考案が解決しようとする課題】
【０００５】
ところが、上記のような従来の光触媒担持フィルターを組み込んだ空気清浄機においては、光触媒の光触媒機能を励起するための光源（例えば、紫外線ランプ）および吸排気用ファン駆動のために電力を必要とするが、この電力供給は、通常、装置に常時接続されている電源コード、コンセントにより行われるように構成されていた。そのため、例えば、鉢型空気清浄機付人工観葉植物などの場合、設置場所が実質的に商用電源からの給電が可能な場所に限られたり（つまり、設置場所が固定化されてしまったり）、また、電源コードが常時露出しているため、外観を損ね、商品価値を低下させてしまうという問題があった。
【０００６】
そこで本考案の課題は、上記のような従来技術における電源コードの露出に伴う、設置場所の固定化および鉢に電源コードというミスマッチな外観上の問題点に着目し、これらの問題点を一挙に解決可能な、極めて実用的で商品価値の高いコードレス型空気清浄機を提供することにある。
【課題を解決するための手段】
【０００７】
上記課題を解決するために、本考案に係るコードレス型空気清浄機は、光触媒が担持された光触媒担持フィルターと、該光触媒担持フィルターに前記光触媒の光触媒機能を励起する波長の光を照射する光源と、前記光触媒担持フィルターに対し周囲の空気を吸入および排出する吸排気ファンとが容器内に収容された空気清浄ユニットを備え、該空気清浄ユニットに、前記ファンおよび前記光源に給電する充電可能なバッテリーを付設したことを特徴とするものからなる。
【０００８】
このようなコードレス型空気清浄機においては、ファンおよび光源に給電するために充電式のバッテリーを付設し、充電時のみに電源コードを電源に接続すればよく、充電後の使用時には電源コード等を空気清浄機に接続しておく必要がなくなり、コードレス形態とできるので、空気清浄機の設置場所に給電上の制約が無くなり、実用価値が高められ、かつ、電源コード等の露出の問題が無くなるので、外観が向上し商品価値が高められる。
【０００９】
上記本考案に係るコードレス型空気清浄機においては、上記バッテリーは、上記容器に内蔵されている形態としてもよく、容器に外付けされている形態としてもよい。いずれの形態にあっても、充電時以外コードレスとすることにより、設置場所の固定化、外観上の問題を解消可能となる。
【００１０】
また、バッテリーへの充電方式についてはとくに限定されず、充電後にコードレス形態にできればよい。例えば、上記バッテリーが、コンセントを介して商用電源から充電可能に構成されている形態とすることもできるし、上記バッテリーが、太陽光発電装置から充電可能に構成されている形態とすることもできる。後述の人造植物を設けたユニットに構成する場合等には、窓際やベランダ等に設置されることが多いと考えられるので、太陽光発電装置から充電可能な構成も有用である。
【００１１】
また、上記光触媒担持フィルターの構成としては、とくに限定されないが、例えば、光触媒担持フィルターが、光触媒が担持された発泡ガラスからなる多数の粒状の担持体を用いて構成されている形態を採用することが可能である。このように構成すれば、光触媒の担持体として、一般に使用されているセラミックよりもはるかに安価な発泡ガラスからなる粒状体を用いるので、空気清浄機自体としても、従来のセラミックフィルタを使用した場合に比べ、大幅に安価に構成可能となる。そして、安価な発泡ガラスからなる粒状の担持体であっても、適切な条件を設定することにより、セラミックフィルタを使用した場合と同等の、場合によってはそれ以上の、優れた光触媒機能を発揮させることが可能になる。したがって、目標とする空気浄化機能と低価格化の両方がともに達成される。さらに、光触媒の担持体が粒状に形成されていることから、多数の粒状の担持体を保持した触媒体を容易にかつ自由に所望の形状に形成することが可能になり、それによって容易に所望の形状の光触媒担持フィルターを形成可能となり、全体としてコンパクトな空気清浄機を構成可能となる。
【００１２】
なお、上記発泡ガラスとしては、とくにリサイクルガラスからなる発泡ガラスを用いることが好ましい。つまり、回収ガラスの粉末を発泡剤添加条件下にて溶融温度に加熱し、粒状の発泡ガラスに仕上げたものを用いる。このようなリサイクルガラスからなる発泡ガラスの粒状体は、極めて安価に製造することができる。このようなリサイクルガラスからなる発泡ガラス自体は、すでに壁材や屋根材、ブロック状物などの他の用途に用いられており、材料自体は容易に入手できる。また、発泡ガラスは、その平均気孔サイズが１〜２ｍｍの範囲にあり、かつ、全面にわたって気孔が観察される表面を有していることが好ましい。発泡ガラスにおいては、通常、気孔は独立気孔（連続的に連なっていない独立気泡形態で形成された気孔）として形成されるが、その平均気孔サイズを１〜２ｍｍの範囲とすることにより、適量の光触媒を、気孔を有する発泡ガラスの全表面に容易に担持させることが可能になる。また、全面にわたって気孔が観察される表面を有していることにより、光触媒が担持され空気浄化に使用される表面を、粒状体の広い面積にわたって形成できるようになる。なお、平均気孔サイズは、例えば、粒状の担持体を顕微鏡で観察し、その表面にある気孔の最大径と最小径を測定してそれらの平均値をその気孔のサイズとみなし、複数の粒状担持体における複数の気孔のサイズの平均値を算出することによって求めることができる。また、発泡ガラスからなる上記粒状の担持体の平均粒径としては、５〜１５ｍｍの範囲にあることが好ましい。粒状担持体の平均粒径がこの範囲よりも大きいと、空気浄化性能が低下するおそれがある。また、粒状担持体の平均粒径が上記範囲よりも小さいと、フィルター形態形成のため網状体等により粒状担持体を保持する場合にその保持が難しくなるおそれがある。
【００１３】
光触媒担持フィルターは、例えば環状に形成することができる。また、光触媒担持フィルターは、単数でもよいが、複数配設することもでき、例えば、所定の間隔をもって複数の環状光触媒担持フィルターを配設することができる。とくに光触媒担持フィルターを環状に形成しておけば、その光触媒担持フィルターの中央部に光源を配置することができ、光源からの光を、光源の周囲に存在する光触媒担持フィルター中の光触媒に向けて効率よく照射できるようになる。
【００１４】
光触媒を光触媒担持フィルターに、例えば上記のような粒状担持体に担持させる方法としてはとくに限定されないが、例えば、光触媒含有コーティング液を用いて光触媒を上記担持体に担持させると、担持体の気孔内までにわたって容易に所望形態に担持させることができる。気孔を有する発泡ガラスからなる粒状担持体への担持の場合には、コーティング時に光触媒含有コーティング液を所定場所に容易に保持させることができ、とくに高温で焼き付ける必要はない。したがって、低温焼成タイプの光触媒含有コーティング液を使用でき、そのコーティング液に粒状担持体をディッピングにより浸漬して取り出した後、コーティング液を保持した粒状担持体を低温で加熱、あるいは単に乾燥するだけでよく、極めて簡単にかつ安価に目標とする光触媒粒状担持体が得られる。
【００１５】
上記光触媒としては、光触媒機能を発揮できるものであればいずれの触媒も使用可能であるが、価格、入手の容易性、優れた光触媒機能の面から、二酸化チタンを用いることが好ましい。この光触媒を担持させるための二酸化チタン含有コーティング液も容易に入手可能である。
【００１６】
また、上記光源としては、光触媒の光触媒機能を励起する波長の光を照射する光源であれば特に限定されないが、とくに、所定範囲内の波長の紫外線を照射可能な光源を使用できる。このような光源として、例えばブラックライトや蛍光灯を挙げることができる。
【００１７】
本考案に係るコードレス型空気清浄機は、例えば人造植物ユニットとして構成することも可能である。例えば、上記容器が鉢型容器からなり、該鉢型容器上に人造植物が設けられている構成とすることができる。このように人造植物ユニット内に本考案に係るコードレス型空気清浄機を組み込むことにより、その人造植物ユニットを装飾品として室内に設置しておくだけで、効率よく室内空気を浄化することが可能になる。しかも、上記空気清浄機は鉢型容器内に収納されるから、人造植物ユニット全体として、空気清浄機が組み込まれていない場合と同等のサイズのままとすることも可能となり、ユニット全体としてコンパクトに構成できる。そして、本考案に係る空気清浄機は、使用時にはコードレス形態であるから、人造植物ユニットとして最も強く要求されると考えられる、外観上の商品価値が顕著に高められることになる。
【００１８】
このような人造植物ユニットにおいては、人造植物の表面にも光触媒が担持されている構成とすることができる。人造植物の表面に担持された光触媒も空気浄化性能を有するから、鉢型容器内に収納された空気清浄機による空気浄化性能と合わせて、人造植物ユニット全体としての空気浄化性能が高められることになる。
【００１９】
また、上記人造植物は、上記鉢型容器に対し交換可能に（着脱可能に）設けられていることが好ましい。このように構成すれば、空気清浄機を収納した鉢型容器はそのままにし、必要に応じて、例えば季節に応じて、鉢型容器上に設けられる人造植物だけを適当に交換することが可能になり、人造植物ユニットの装飾品としての価値を維持あるいは向上することが可能になる。
【考案の効果】
【００２０】
本考案に係るコードレス型空気清浄機によれば、従来の光触媒空気清浄機では光源や吸排気用ファンのための給電に電源コードやコンセントが常設されていたため、設置場所の固定化の問題や電源コード等の露出のために外観を損ね商品価値を低下させるという問題があったが、本考案により充電式バッテリーを組み込むことで使用時のコードレス化を可能とすることができ、空気清浄機としての優れた機能を維持しつつ、実質的に設置場所の制約を無くすることができ、実用価値を大幅に高めることができるとともに、外観を向上でき、商品価値を大幅に高めることができる。そして、この本考案に係るコードレス型空気清浄機は、とくに人造植物ユニットに組み込む等、広い適用範囲が期待できる。
【図面の簡単な説明】
【００２１】
【図１】本考案の一実施態様に係るコードレス型空気清浄機の縦断面図である。
【図２】本考案の別の実施態様に係るコードレス型空気清浄機の縦断面図である。
【考案を実施するための形態】
【００２２】
以下に、本考案の望ましい実施の形態について、図面を参照しながら説明する。
図１は、本考案の一実施態様に係るコードレス型空気清浄機を示しており、とくに、人造植物ユニットに組み込んだ場合で、かつ、充電式バッテリーを鉢型容器に内蔵した場合の例を示している。図２は、本考案の別の実施態様に係るコードレス型空気清浄機を示しており、図１に示した例に比べ、充電式バッテリーを鉢型容器に対し外付けにて付設した場合の例を示している。図１と図２に示した構造例の差は、基本的には充電式バッテリーが内蔵であるか外付けであるかの差だけなので、主として図１に示した構造について説明し、図１と図２の共通する部材には同一の符号を付すことにする。
【００２３】
図１、図２において、１、２１は、コードレス型空気清浄機全体を示しており、コードレス型空気清浄機１、２１は、光触媒（例えば、二酸化チタン）が担持され、複数併設された光触媒担持フィルター２と、該光触媒担持フィルター２に光触媒の光触媒機能を励起する波長の光を照射する光源としての紫外線ランプ３と、光触媒担持フィルター２に対し周囲の空気を矢印で示すように吸入および排出する吸排気ファン４とが鉢型容器５内に収容された空気清浄ユニット６を備えている。光触媒担持フィルター２は、例えば前述の如く、光触媒が担持された発泡ガラスからなる多数の粒状の担持体を用いて環状に形成され、図示例では、上下方向に複数枚配列された環状の光触媒担持フィルター２の中央部に紫外線ランプ３が配置されている。これら光触媒担持フィルター２の上方には適当な通気性のフィルター７が配置され、その上に吸排気ファン４が設けられている。鉢型容器５の上面には、通気性の基材８が設けられており、その基材８に、上方に向けて延びる人造植物９が植設されている。前述の如く、この人造植物９の表面にも光触媒を担持させておいてもよい。鉢型容器５は、少なくともその下部側の壁が通気性を有するように構成されており、吸排気ファン４の駆動により、周囲から吸引された空気が鉢型容器５内に取り込まれ、そこから上方に向かって流れて、紫外線ランプ３からの紫外線が照射された光触媒担持フィルター２部分を通過することにより、光触媒の光触媒機能によって浄化され、浄化された空気が、フィルター７を通して再び鉢型容器５外に排出される。人造植物９の表面にも光触媒を担持させている場合には、さらにそこでも浄化され、浄化された空気が周囲に戻される。
【００２４】
このように構成された空気清浄ユニット６に対し、上記吸排気ファン４および上記光源としての紫外線ランプ３に給電するための充電式バッテリー１０が付設されている。充電式バッテリー１０は、図１に示した例では鉢型容器５内の底部に内蔵され、図２に示した例では鉢型容器５の底面に外付けされている。この充電式バッテリー１０の出力端子１１からは、外部に露出しない内部配線１２を介して、吸排気ファン４と紫外線ランプ３とに、それぞれ所定の電力が供給される。充電式バッテリー１０には、入力端子１３が設けられており、充電時に、入力端子１３に、取り外し可能な電源コード（図示略、場合によってはコンセント付き電源コード）が接続されて、必要な時間だけ充電を行うことができるようになっている。したがって、充電時以外は、電源コードは基本的に取り外され、外観上現れない。
【００２５】
充電式バッテリー１０への充電のための電源としては、とくに限定されず、商用電源、太陽光発電装置のいずれも使用可能である。コードレス型空気清浄機１、２１の設置場所の近くに充電用電源がある場合には、そのまま上記電源コードの接続、取り外しを行えばよく、充電用電源が離れた位置にある場合には、長い電源コードを使用するか、持ち運び可能な可搬式のコードレス型空気清浄機１、２１を一旦充電用電源の近くまで持ち運べばよい。
【００２６】
このように、本考案によるコードレス型空気清浄機１、２１においては、充電式バッテリー１０を付設してあり、必要に応じて適切に充電できるとともに、通常の使用時には電源コード等が外部に現れずコードレス形態とすることができるので、空気清浄機の設置場所の固定化の問題や電源コード等の露出のために外観を損ね商品価値を低下させるという問題が見事に解消される。したがって、実用価値や商品価値を大幅に高めることができる。
【産業上の利用可能性】
【００２７】
本考案に係るコードレス型空気清浄機は、設置場所の固定化が嫌われるあらゆる空気清浄機に適用でき、とくに、人造植物ユニットとして構成する場合に好適なものである。
【符号の説明】
【００２８】
１、２１  コードレス型空気清浄機
２  光触媒担持フィルター
３  光源としての紫外線ランプ
４  吸排気ファン
５  鉢型容器
６  空気清浄ユニット
７  フィルター
８  基材
９  人造植物
１０  充電式バッテリー
１１  出力端子
１２  内部配線
１３  入力端子
【図１】
0003152783.tif 000003
【図２】
0003152783.tif 000004